(57)【要約】      （修正有）【課題】回転ドアと壁との間に人が挟まれ、怪我をしたり、死亡したりする事故を防止する。【解決手段】ドア回転軸２とそれに取り付けられた回転ドア板３とから成る回転ドア部４０と、その両側の側壁との間に、緊急開放装置９付きの補助ドア７を設ける。そして、回転ドア板３と補助ドア７との間に人が挟まれた場合には、緊急開放装置９の作動により補助ドア７を開放可能とする。そうすると、たとえその間に人が挟まれても補助ドア７が開くので、人の身体に大きな圧力がかかることはなくなり、重傷，死亡等の重大事故に至ることがないようになる。【選択図】図１
0003119197.tif 000002
【実用新案登録請求の範囲】
【請求項１】
一定方向に回転するドア回転軸と該ドア回転軸に等角度間隔に取り付けられた複数枚の回転ドア板とから成る回転ドア部を具えた回転ドア装置において、
該回転ドア部とその両側に位置する側壁との間にそれぞれ設けられ、該側壁に接する側を軸として回動可能とされた補助ドアと、
該補助ドアに設置され、該補助ドアと前記回転ドア板との間に人が挟まれたときに前記補助ドアを開放可能とする緊急開放装置と
を具えたことを特徴とする回転ドア装置。
【請求項２】
緊急開放装置を、
補助ドアの上端面に設置した第１の永久磁石と、
該第１の永久磁石との間で吸引力が作用するよう、該第１の永久磁石と対向させて該補助ドアの上の壁に設置した第２の永久磁石と、
該補助ドアの下端面に設置した第３の永久磁石と、
該第３の永久磁石との間で吸引力が作用するよう、該第３の永久磁石と対向させて該補助ドアの下の床に設置した第４の永久磁石と
で構成したことを特徴とする請求項１記載の回転ドア装置。
【請求項３】
緊急開放装置を、
補助ドアをその上の壁にロックしたり、該補助ドアの下の床にロックしたりするロック部と、
該補助ドアの回転ドア部に面する側の端縁に設けられ、該補助ドアと前記回転ドア板との間に人が挟まれたときに検知信号を発する接触検知部と、
前記ロック部をロック状態に戻すためのリセット指令信号を発するリセット指令部と、
前記接触検知部からの検知信号が入力された時には前記ロック部のロックを解除して補助ドアを開放可能とし、前記リセット指令部からのリセット指令信号が入力された時には前記ロック部をロック状態に復帰させる制御部と
で構成したことを特徴とする請求項１記載の回転ドア装置。
【考案の詳細な説明】
【技術分野】
【０００１】
本考案は、建物の出入口に設置される回転ドア装置に関するものである。
【背景技術】
【０００２】
多勢の人が出入りする近代的な建物においては、人の流れを円滑にするためや、ファッション的な観点から、回転ドア装置が設置されることがしばしばある。
図４は、従来の回転ドア装置の概要を説明する図である。図４において、１は回転ドア装置、２はドア回転軸、３は回転ドア板、４，５は側壁、６は子供である。
図４（１）は、回転ドア装置１の要部の斜視図である。回転ドア装置１の両側にある側壁４，５は、建物の内と外とを境える壁である。回転ドア装置１は、基本的にはドア回転軸２と複数枚（通常４枚）の回転ドア板３とから成っている。回転ドア板３の縦方向の一辺は、ドア回転軸２に固定されており、複数枚の回転ドア板３のなす角度は等しくされている（４枚の場合における角度は９０度）。図示してはいないが、ドア回転軸２には、回転力を生ずるためのモータ等の駆動装置が接続されている。
【０００３】
図４（２）は、回転ドア装置１を上から見下ろした図である。ドア回転軸２の回転により、回転ドア板３は一定方向（図では矢印Ａ方向）にゆっくりと回転している。出入りする人は、次々と回転して来る回転ドア板３の間に身体を入れ、回転速度に合わせて歩き、反対側へ出たところで回転ドア装置１から離脱する。
【考案の開示】
【考案が解決しようとする課題】
【０００４】
前記した従来の回転ドア装置には、ときどき回転ドア板と側壁との間に人が挟まれ、怪我をしたり死亡したりする事故が発生するという問題点があった。
図４（３）はその状況を説明する図である。回転ドア装置１を通過するには、先にも説明したように、先ず、次々と回転して来る回転ドア板３の間に、身体を入れなければならい。この動作は簡単なようであるが、慣れない者にとっては入り込むタイミングが取りにくく、意外とまごつくものである。縄跳びで、二人が一本の縄をグルグル回しているところに飛び込む場合、次に回って来る縄に引っ掛かりそうで、慣れないうちは飛び込むタイミングがうまく取れないのと同様である。
特に、回転ドア板３とそれが回転して行く方の側壁との間の隙間から入ろうとすると、該隙間はどんどんせばまって行くから、せばまる速度をよく計算しながら素早く入る必要がある。
【０００５】
ところが、回転ドア装置を利用した経験があまりない子供６などは、回転ドア板３の間に入り込むタイミングがうまく取れないことが多く、図示のように側壁４と回転ドア板３との間に挟まれてしまうことがあった。
打撲傷程度であればまだ軽傷で済むが、挟まれた箇所が指や腕などの場合は骨折などという重傷になることもある。また、高層の近代的な建物においては豪華な感じを出すため、１階の天井の高さが高くとってあることが多く、それに伴い回転ドア板３の高さも高くされ、重量も重いものとされる。重量が大だと回転による慣性力も大きく、簡単には停止しない。そのため、子供６を挟んだ場合、停止したとしても大きな圧力を子供６に加えた状態で停止することとなり、死亡事故にまで至ることがあった。
本考案は、このような問題点を解決することを課題とするものである。
【課題を解決するための手段】
【０００６】
前記課題を解決するため、本考案では、一定方向に回転するドア回転軸と該ドア回転軸に等角度間隔に取り付けられた複数枚の回転ドア板とから成る回転ドア部を具えた回転ドア装置において、該回転ドア部とその両側に位置する側壁との間にそれぞれ設けられ、該側壁に接する側を軸として回動可能とされた補助ドアと、該補助ドアに設置され、該補助ドアと前記回転ドア板との間に人が挟まれたときに前記補助ドアを開放可能とする緊急開放装置とを具える構成とした。
【０００７】
前記の緊急開放装置は、例えば次のような構成とすることが出来る。即ち、補助ドアの上端面に設置した第１の永久磁石と、該第１の永久磁石との間で吸引力が作用するよう、該第１の永久磁石と対向させて該補助ドアの上の壁に設置した第２の永久磁石と、該補助ドアの下端面に設置した第３の永久磁石と、該第３の永久磁石との間で吸引力が作用するよう、該第３の永久磁石と対向させて該補助ドアの下の床に設置した第４の永久磁石とを設けるという構成である。
【０００８】
また前記緊急開放装置は、次のような構成とすることも出来る。即ち、補助ドアをその上の壁にロックしたり、該補助ドアの下の床にロックしたりするロック部と、該補助ドアの回転ドア部に面する側の端縁に設けられ、該補助ドアと前記回転ドア板との間に人が挟まれたときに検知信号を発する接触検知部と、前記ロック部をロック状態に戻すためのリセット指令信号を発するリセット指令部と、前記接触検知部からの検知信号が入力された時には前記ロック部のロックを解除して補助ドアを開放可能とし、前記リセット指令部からのリセット指令信号が入力された時には前記ロック部をロック状態に復帰させる制御部とを設けるという構成である。
【考案の効果】
【０００９】
本考案では、ドア回転軸とそれに取り付けられた回転ドア板とから成る回転ドア部と、その両側の側壁との間に、緊急開放装置付きの補助ドアを設ける。そして、回転ドア板と補助ドアとの間に人が挟まれた場合には、緊急開放装置の作動により補助ドアを開放可能としたので、たとえその間に人が挟まれても、大きな圧力がかかることはなくなり、重傷，死亡等の重大事故に至ることがないようになる。
【考案を実施するための最良の形態】
【００１０】
以下、本考案の実施形態を図面に基づいて詳細に説明する。
図１は、本考案に係る回転ドア装置の概要を説明する図である。符号は図４のものに対応し、７，８は補助ドア、９，１０，１１，１２は緊急開放装置、４０は回転ドア部である。回転ドア部４０とは、ドア回転軸２と回転ドア板３とから成る回転部分のことである。図１（１）は回転ドア装置１の要部の斜視図であり、図１（２）は回転ドア装置１を上から見下ろした図である。
回転ドア板３がドア回転軸２に取り付けられて回転するという回転ドア部４０の構造は従来と同じであるが、本考案では回転ドア部４０の両側にある側壁４，５との間に、新たに補助ドア７，８を設けている点で相違している。本考案の回転ドア部４０は、２つの補助ドア７，８の間でゆっくりと回転することになる。
【００１１】
これら補助ドア７，８の適宜箇所には、緊急開放装置９が取り付けられる。緊急開放装置９は、人が回転ドア板３と補助ドア７（８）との間に挟まれると、それに応動して補助ドア７（８）を開放可能とする装置である。
図１（３）は、子供６が回転ドア板３と補助ドア７との間に挟まれた状態を示している。このように挟まれた場合、補助ドア７が子供６に押されてＢ方向に回動し、開放するので、子供６に大きな圧力がかかることはない。
以下、本考案で使用する補助ドアの具体例について説明する。
【００１２】
（第１の具体例）
図２は、本考案で使用する補助ドアの第１の例を示す図である。符号は図１のものに対応し、１３は上壁、１４は床、１５は補助ドア回転軸、１６，１７はドアロック装置、１８は転動体、１９，２０，２１，２２は永久磁石である。
上壁１３とは、補助ドア７の真上に位置する壁のことである。転動体１８は、補助ドア７の下面に取り付けられ、補助ドア７の重さを支持すると共に、補助ドア７が回動されるときには床面上を弧を描いて転動する。
【００１３】
補助ドア回転軸１５は上壁１３と床１４とに取り付けられており、これを軸にして補助ドア７は回動する。
ドアロック装置１６，１７は、回転ドア装置を使用しないとき（例えば深夜）に、補助ドア７が開放しないよう固定するためのものである。ドアロック装置１６による固定は、ドアロック装置１６を矢印Ｃ方向に押し上げ、上端を上壁１３に開けられている穴に押し入れることによってなされる。ドアロック装置１７による固定は、ドアロック装置１７を矢印Ｄ方向に押し下げ、下端を床１４に開けられている穴に押し入れることによってなされる。これらの固定の解除は、ドアロック装置をそれぞれ逆方向に移動することによって行われる。
【００１４】
永久磁石１９は上壁１３の下面に設けられ、永久磁石２０は補助ドア７の上面に設けられるが、それらは異なる磁極が対向するように配設される。また、永久磁石２１は補助ドア７の下面に設けられ、永久磁石２２は床１４に設けられるが、それらも異なる磁極が対向するように配設される。すると、永久磁石１９と２０の間、永久磁石２１と２２の間にはそれぞれ吸引力が働くから、その吸引力により補助ドア７は所定位置に固定される。この所定位置は、ドアロック装置１６，１７によって固定された時の位置と同じになるようにしておく（これは、上壁１３及び床１４に設ける永久磁石１９，２２の配設位置を調整することによって出来る。）。
なお、上壁１３，床１４，補助ドア７に設ける永久磁石は、それらの表面の上に出るように設置してもよいし、表面から出ないように埋め込むようにしてもよい。ただ、床１４に設置する永久磁石２２だけは、つまづいたりするのを避けるため、床１４の表面から出ないように埋め込むのが望ましい。
【００１５】
さて、回転ドア装置を使用するときは、ドアロック装置１６，１７によるロックを解除する。すると、補助ドア７は、永久磁石１９，２０間に働く上下の吸引力と、永久磁石２１，２２間に働く上下の吸引力とにより、その位置から動かないよう維持されることになる。この状態の補助ドア７と回転ドア板との間に子供が挟まれると、回転ドア板３に押されて倒れかかる子供の重量が補助ドア７にかかる。
永久磁石間に働く上下の吸引力は、それと直角方向（つまり横方向）の力には比較的弱いから、子供が倒れかかることにより横方向の力がかかると、その力には抗しきれず、補助ドア７を元の位置に維持し続けることが出来なくなる。そのため、補助ドア７は回動し、開放される。
【００１６】
即ち、図２の例では、永久磁石１９〜２２が、図１で説明した緊急開放装置９に相当している。なぜなら、通常時は吸引力により正常位置を保っているが、人が挟まれることにより或る程度以上の大きさの横方向の力が働いた時には、補助ドア７を開放する動作をしているからである。
補助ドア７が開放されるため、挟まれた子供等は自力で脱出することが出来るが、開放された補助ドア７の後処理は係員が行う。係員が補助ドア７を手で回動して元の位置に戻すと、永久磁石１９〜２２の吸引力が再び作用し始め、補助ドア７はその位置に維持される。
なお、補助ドア７を元の位置に戻すことをいちいち係員がやるのではなく、自動的に行われるようにすることも出来る。例えば、通常のドアでも使用しているような油圧装置を用い、開放した補助ドア７を元の位置まで戻すようにしてもよい。
【００１７】
（第２の具体例）
図３は、本考案で使用する補助ドアの第２の例を示す図である。符号は図１，図２のものに対応し、２３はリセット指令部、２４，２５はリセットボタン、２６は制御部、２７はロック部、２８はロック棒、２９はロック棒駆動部、３０は接触検知部、３１は接触検知センサ、３２は接触検知板、３３はロック部、３４はロック棒駆動部、３５はロック棒である。
【００１８】
接触検知部３０は、補助ドア７と回転ドア板３との間に人が挟まれたことを検知するためのものであり、例えば接触検知板３２と接触検知センサ３１とで構成される。接触検知板３２は、補助ドア７の縦方向の端縁の内、人が補助ドア７と回転ドア板３とに挟まれた場合に人の身体が接触する範囲に取り付けられる。接触検知板３２の背後には、接触検知センサ３１が設置される。接触検知センサ３１は、接触検知板３２に所定以上の圧力が加えられた時に接触検知信号を発するようにされ、その信号は、制御部２６へと送られる。なお、接触検知センサ３１の数は、必要に応じて複数個とすることが出来る。
【００１９】
ロック部２７，３３は、補助ドア７を上壁１３や床１４にロックするためのものである。ロック部２７は、例えばロック棒駆動部２９とロック棒２８とで構成されるが、ロック棒駆動部２９は補助ドア７の上部に取り付けられ、ロック棒２８をＥ方向（上下方向）に出没駆動する。上壁１３には予めロック棒２８の先端が嵌まり込む穴を開けておく。ロック棒２８が上方に突出駆動されたとき、該先端はその穴に嵌まり込み、補助ドア７が開放しないようロックする。
ロック部３３は、ロック棒駆動部３４とロック棒３５とにより同様に構成され、ロック棒３５が突出駆動されたとき、その先端は床１４に予め開けられた穴に嵌まり込み、補助ドア７が開放しないようロックする。
通常時（人が挟まれたりしない時）には、ロック棒２８，３５は突出され、補助ドア７は上壁１３や床１４にロックされている。
【００２０】
制御部２６はロック部２７，３３を制御するためのものであり、補助ドア７の適宜箇所に取り付けられる。突出しているロック棒２８，３５を引き込む制御は、接触検知部３０から接触検知信号が入力されて来たときに行われる。ロック棒２８，３５がそれぞれ上壁１３，床１４から引き抜かれると、補助ドア７は開放可能となる。
リセット指令部２３は、制御部２６にロック棒２８，３５を元に戻す（つまり突出駆動して上壁１３，床１４の穴に嵌め込む）ための信号を送出する。例えば、リセットボタン２４をオンすると、ロック棒２８を突出駆動するための信号が送出され、リセットボタン２５をオンすると、ロック棒３５を突出駆動するための信号が送出される。
【００２１】
このような補助ドア７と回転ドア板３との間に子供が挟まれた場合、子供は接触検知板３２に接触するから、接触検知センサ３１が接触検知信号を制御部２６に送る。すると、制御部２６からロック部２７，３３へ、ロック棒２８，３５を引き込む信号が送られ、ロック棒２８，３５が上壁１３，床１４より引き抜かれる。そのため、補助ドア７は開放可能となり、挟まれた子供に大きな圧力がかかることはなく、重傷に至ることもない。補助ドア７が開放可能となるため、挟まれた子供でも自力で脱出出来るが、子供が脱出した後、係員が補助ドア７を元の位置に戻してリセット指令部２３を操作すれば、ロック棒２８，３５は突出駆動され、それぞれ上壁１３，床１４の穴に嵌め込まれ、補助ドア７は再びロックされる。
【００２２】
なお、補助ドア７を元の位置に戻してロックすることをいちいち係員がやるのではなく、自動的に行われるようにすることも出来る。例えば、次のようにすることが出来る。
（１）通常のドアでも使用しているような油圧装置を用い、開放した補助ドア７を元の位置に戻させる。
（２）補助ドア７が元の位置に戻ったことを検知するセンサを上壁１３（または床１４）に設けておき、補助ドア７が元の位置に戻ったことを検知する。
（３）その検知信号を制御部２４に送り、ロック部２７，３３を動作させてロック棒２８，３５を突出駆動する。
【図面の簡単な説明】
【００２３】
【図１】本考案に係る回転ドア装置の概要を説明する図
【図２】本考案で使用する補助ドアの第１の例を示す図
【図３】本考案で使用する補助ドアの第２の例を示す図
【図４】従来の回転ドア装置の概要を説明する図
【符号の説明】
【００２４】
１…回転ドア装置、２…ドア回転軸、３…回転ドア板、４，５…側壁、６…子供、７，８…補助ドア、９，１０，１１，１２…緊急開放装置、１３…上壁、１４…床、１５…補助ドア回転軸、１６，１７…ドアロック装置、１８…転動体、１９，２０，２１，２２…永久磁石、２３…リセット指令部、２４，２５…リセットボタン、２６…制御部、２７…ロック部、２８…ロック棒、２９…ロック棒駆動部、３０…接触検知部、３１…接触検知センサ、３２…接触検知板、３３…ロック部、３４…ロック棒駆動部、３５…ロック棒、４０…回転ドア部
【図１】
0003119197.tif 000003
【図２】
0003119197.tif 000004
【図３】
0003119197.tif 000005
【図４】
0003119197.tif 000006